(57)【要約】【課題】表示画像の変化を小さくしつつ、ユーザ操作に対する応答速度を向上する。【解決手段】表示装置１００は、複数の画像フレームを含む画像データを取得する画像入力部１０１と、画像データへの画像処理を実行する画像処理部１０３と、操作を受け付けるための操作画面を表示する表示部１０８と、表示部１０８が操作画面を表示していない場合に、画像処理部１０３に第１モードで画像処理を実行させ、表示部１０８が操作画面を表示している場合に、画像処理部１０３に第１モードよりも処理量が少ない第２モードで画像処理を実行させるモード管理部１０６と、を有する。【選択図】図１
2019124828.tif 000002
【特許請求の範囲】
【請求項１】
複数の画像フレームを含む画像データを取得する取得手段と、
前記画像データへの画像処理を実行する画像処理手段と、
操作を受け付けるための操作画面を表示する表示手段と、
前記表示手段が前記操作画面を表示していない場合に、前記画像処理手段に第１モードで画像処理を実行させ、前記表示手段が前記操作画面を表示している場合に、前記画像処理手段に前記第１モードよりも処理量が少ない第２モードで画像処理を実行させる制御手段と、
を有することを特徴とする表示装置。
【請求項２】
前記制御手段は、前記第２モードにおいて、前記第１モードよりも長いフレーム間隔ごとに前記画像データへの画像処理を実行させることを特徴とする、
請求項１に記載の表示装置。
【請求項３】
前記制御手段は、前記表示手段が表示する前記操作画面の種類に基づいて決定したフレーム間隔ごとに前記画像データへの画像処理を実行させることを特徴とする、
請求項２に記載の表示装置。
【請求項４】
前記制御手段は、前記画像処理手段が実行する画像処理に関する前記操作画面を前記表示手段が表示している場合、前記画像処理手段に前記第１モードで画像処理を実行させ、前記画像処理手段が実行する画像処理以外の処理に関する前記操作画面を前記表示手段が表示している場合、前記画像処理手段に前記第２モードで画像処理を実行させることを特徴とする、
請求項３に記載の表示装置。
【請求項５】
前記制御手段は、前記第２モードにおいて、前記第１モードよりも低い精度で前記画像データへの画像処理を実行させることを特徴とする、
請求項１から４のいずれか一項に記載の表示装置。
【請求項６】
前記制御手段は、前記第２モードにおいて、前記第１モードよりも小さい演算桁数で前記画像データへの画像処理を実行させることを特徴とする、
請求項５に記載の表示装置。
【請求項７】
前記制御手段は、前記第２モードにおいて、前記画像フレームに含まれる複数のブロックのうち、前記表示手段が前記操作画面を表示する表示ブロック以外の非表示ブロックの前記画像データへの画像処理を実行させ、前記表示ブロックの前記画像データへの画像処理を実行させないことを特徴とする、
請求項１から６のいずれか一項に記載の表示装置。
【請求項８】
前記画像処理手段は、前記画像フレームを分割して得られる複数のブロックそれぞれの画像特徴量に基づいて、前記複数のブロックに画像処理を施し、
前記制御手段は、前記第２モードにおいて、前記第１モードよりも少ない数に前記画像フレームを分割して得られた前記ブロックごとに画像処理を実行させることを特徴とする、
請求項１から７のいずれか一項に記載の表示装置。
【請求項９】
コンピュータが実行する、
複数の画像フレームを含む画像データを取得するステップと、
操作を受け付けるための操作画面を表示手段に表示していない場合に、第１モードで前記画像データへの画像処理を実行させ、前記操作画面を前記表示手段に表示している場合に、前記第１モードよりも処理量が少ない第２モードで前記画像データへの画像処理を実行させるステップと、
を有することを特徴とする表示方法。
【発明の詳細な説明】
【技術分野】
【０００１】
本発明は、画像を表示する表示装置及び表示方法に関する。
【背景技術】
【０００２】
従来、映像信号の平均輝度レベル及び輝度ヒストグラム等の画像特徴量に基づいて、映像に対して画像処理を施す装置が知られている。特許文献１には、映像に対する画像処理を省略することによって、ユーザ操作に対する応答速度を向上させる技術が開示されている。
【先行技術文献】
【特許文献】
【０００３】
【特許文献１】特開２００９−３３４１５号公報
【発明の概要】
【発明が解決しようとする課題】
【０００４】
ところで、画像処理は、映像に含まれる画像フレームごとに画像特徴量が変化するため、画像フレームごとに実行される。このような画像処理を実行する技術として、例えばローカルディミング処理がある。ローカルディミング処理は、透過型の液晶パネルとバックライトとが組み合わされた表示装置において、映像の画像特徴量に応じてバックライトの光量を動的に制御することによって、コントラストを向上させる技術である。ローカルディミング処理は、表示位置ごとにバックライトの明るさを制御するため、画像を複数のブロックに分割し、分割したブロックの画像特徴量に基づいて、バックライト制御値及び画素値の補正値を算出する。分割するブロックを細かくすることにより、画像処理の精度が向上するため、画質を向上させる場合、分割をより細かくしてブロック数を増やす必要があるが、ブロック数が増えると補正値等の算出に要する計算量が多くなる。
【０００５】
一般的に、表示装置に搭載されるＣＰＵ（Central Processing Unit）は、処理能力が高くないため、ローカルディミング処理のような画像処理を実行することによって、ＣＰＵの処理能力の多くの割合が画像処理に使用されてしまう。この場合において、ユーザが操作画面から操作を行った場合、ユーザ操作に基づく処理を実行するための処理時間が不足し、ユーザ操作に対する応答速度が低下してしまう可能性がある。特許文献１のような技術を用いることによって、操作画面が表示されている場合においては、画像フレームが遅延する要因となる画像処理を省略することにより、ユーザ操作に対する応答速度を向上させることができる。しかし、画像処理を省略した場合、操作画面が表示されている場合と表示されていない場合とで表示画像が変わってしまい、ユーザに違和感を与えてしまう。
【０００６】
そこで、本発明はこれらの点に鑑みてなされたものであり、表示画像の変化を小さくしつつ、ユーザ操作に対する応答速度を向上することができる表示装置及び表示方法を提供することを目的とする。
【課題を解決するための手段】
【０００７】
本発明の第１の態様に係る表示装置は、複数の画像フレームを含む画像データを取得する取得手段と、前記画像データへの画像処理を実行する画像処理手段と、操作を受け付けるための操作画面を表示する表示手段と、前記表示手段が前記操作画面を表示していない場合に、前記画像処理手段に第１モードで画像処理を実行させ、前記表示手段が前記操作画面を表示している場合に、前記画像処理手段に前記第１モードよりも処理量が少ない第２モードで画像処理を実行させる制御手段と、を有することを特徴とする。
【０００８】
本発明の第２の態様に係る表示方法は、コンピュータが実行する、複数の画像フレームを含む画像データを取得するステップと、操作を受け付けるための操作画面を表示手段に表示していない場合に、第１モードで前記画像データへの画像処理を実行させ、前記操作画面を前記表示手段に表示している場合に、前記第１モードよりも処理量が少ない第２モードで前記画像データへの画像処理を実行させるステップと、を有する。
【発明の効果】
【０００９】
本発明によれば、表示画像の変化を小さくしつつ、ユーザ操作に対する応答速度を向上することができるという効果を奏する。
【図面の簡単な説明】
【００１０】
【図１】第１の実施形態に係る表示装置の構成を示す図である。
【図２】第１の実施形態に係る表示装置が画像データに対して実行する処理を模式的に示した図である。
【図３】モード管理部の構成を示す図である。
【図４】第１の実施形態に係るモード管理データベースの構成を示す図である。
【図５】画像処理部の構成を示す図である。
【図６】表示装置が行う処理の流れを示すフローチャートである。
【図７】画像処理部が行う処理の流れを示すフローチャートである。
【図８】第２の実施形態に係る表示装置の構成を示す図である。
【図９】第２の実施形態に係る表示装置が画像データに対して実行する処理を模式的に示した図である。
【図１０】第３の実施形態に係る表示装置の構成を示す図である。
【図１１】第３の実施形態に係る表示部に表示された表示用画像を模式的に示した図である。
【図１２】第４の実施形態に係る表示装置の構成を示す図である。
【図１３】第４の実施形態に係る表示部に表示された表示用画像を模式的に示した図である。
【図１４】表示装置の変形例の構成を示す図である。
【図１５】モード管理データベースの変形例の構成を示す図である。
【発明を実施するための形態】
【００１１】
＜第１の実施形態＞
［表示装置１００の構成］
図１は、第１の実施形態に係る表示装置１００の構成を示す図である。図１に示す表示装置１００は、画像入力部１０１と、特徴量取得部１０２と、画像処理部１０３と、操作受付部１０４と、操作処理部１０５と、モード管理部１０６と、画面合成部１０７と、表示部１０８とを有する。
【００１２】
画像入力部１０１は、複数の画像フレームを含む画像データを取得する取得手段である。具体的には、画像入力部１０１は、ＨＤＭＩ（High-Definition Multimedia Interface）（登録商標）等のインターフェースを介して、カメラ又は画像再生装置等の外部機器から画像データを入力する。画像入力部１０１は、入力された画像データを、画像フレームごとに特徴量取得部１０２及び画像処理部１０３に入力する。
【００１３】
特徴量取得部１０２は、画像入力部１０１から入力された画像フレームの画像特徴量を取得する。具体的には、特徴量取得部１０２は、画像入力部１０１から入力された画像フレームを１以上のブロックに分割し、分割した１以上のブロックごとに画像特徴量を取得する。画像特徴量は、例えば、平均輝度レベル及び輝度ヒストグラム等である。表示装置１００には、予め画像フレームを分割するブロックの数が設定されている。特徴量取得部１０２は、取得した１以上のブロックごとの画像特徴量を画像処理部１０３に入力する。
【００１４】
画像処理部１０３は、画像データへの画像処理を実行する画像処理手段である。詳細については後述するが、画像処理部１０３は、特徴量取得部１０２から入力された画像特徴量、及びモード管理部１０６から入力された処理モードに基づいて、画像入力部１０１から入力された画像フレームに対して画像処理を実行する。画像処理部１０３は、画像処理を実行した画像フレームの画像を画面合成部１０７に入力する。
【００１５】
操作受付部１０４は、不図示の操作ボタン及びリモコン等の操作手段を介して、ユーザ操作を受け付ける。操作受付部１０４は、受け付けたユーザ操作を操作処理部１０５に入力する。
【００１６】
操作処理部１０５は、操作受付部１０４から入力されたユーザ操作に基づいて、所定の処理を実行する。所定の処理は、例えば、ＯＳＤ（On-Screen Display）メニューが表示された操作画面の描画処理又は更新処理、及び画像処理パラメータの記憶処理等である。操作処理部１０５は、操作画面の描画処理又は更新処理を実行した場合、描画処理又は更新処理を施した後の操作画面を画面合成部１０７に入力する。
【００１７】
また、操作処理部１０５は、操作受付部１０４が、操作画面を表示するユーザ操作又は表示しないユーザ操作を受け付けた場合に、操作画面の表示状態を示す情報を、モード管理部１０６に入力する。操作処理部１０５は、例えば、操作画面を表示するユーザ操作を操作受付部１０４が受け付けた場合に、操作画面の表示状態を示す情報としての「表示」をモード管理部１０６に入力する。反対に、操作処理部１０５は、操作受付部１０４が操作画面を表示しないユーザ操作を受け付けた場合に、操作画面の表示状態を示す情報として、「非表示」をモード管理部１０６に入力する。
【００１８】
モード管理部１０６は、操作画面の表示状態に応じて画像処理部１０３を制御する制御手段である。詳細については後述するが、モード管理部１０６は、表示部１０８が操作画面を表示していない場合に、画像処理部１０３に第１モードで画像処理を実行させ、表示部１０８が操作画面を表示している場合に、画像処理部１０３に第１モードよりも処理量が少ない第２モードで画像処理を実行させる。モード管理部１０６は、処理モードとして第１モード及び第２モードのいずれかを選択して、選択した処理モードを画像処理部１０３に入力する。
【００１９】
画面合成部１０７は、画像処理部１０３から入力された画像フレームの画像と、操作処理部１０５から入力された操作画面とを合成して１つの表示用画像を生成する。画面合成部１０７は、生成した表示用画像を表示部１０８に入力する。
【００２０】
表示部１０８は、ユーザ操作を受け付けるための操作画面を表示する表示手段である。表示部１０８は、画面合成部１０７から入力された表示用画像を不図示の表示パネルに表示させる。
【００２１】
［モード管理部１０６の構成］
続いて、モード管理部１０６の詳細について説明する。図２は、第１の実施形態に係る表示装置１００が画像データに対して実行する処理を模式的に示した図である。図２において、横軸は時間を示し、各種の処理が実行された画像フレーム（ｎ、ｎ＋１等）ごとに、Ｖｓｙｎｃのタイミングで表示部１０８に表示されることを示す。
【００２２】
図２（ａ）に示すように、表示装置１００は、１つの画像フレームを表示部１０８に表示させるまでに、画像処理部１０３に画像処理（以下、処理Ｐ１という）を実行させ、操作処理部１０５にユーザ操作に基づく処理（以下、処理Ｐ２という）を実行させる。
【００２３】
例えば、画像データのフレームレートが６０ｆｐｓ（frames per second）である場合、１つの画像フレームを表示部１０８に表示させてから次の画像フレームを表示部１０８に表示するまでの時間は、約１６．７ｍｓとなる。このように限られた時間の中で、処理Ｐ１の処理量が多くなると、処理Ｐ１の処理時間が長くなり、処理Ｐ２を実行することができる時間が短くなる。その結果、ユーザ操作に対する応答速度が低下してしまう。
【００２４】
そこで、モード管理部１０６は、処理モードが第２モードである場合において、第１モードよりも長いフレーム間隔ごとに画像データへの画像処理を実行させる。図２（ｂ）に示すように、モード管理部１０６は、処理モードが第２モードである場合において、画像フレームｎ（例えば、奇数のフレーム）に対して画像処理部１０３に処理Ｐ１を実行させ、画像フレームｎ＋１（例えば、偶数のフレーム）に対して画像処理部１０３に処理Ｐ１を実行させない。
【００２５】
このようにモード管理部１０６は、操作画面が表示されている場合に、２フレームに１回のフレーム間隔で画像処理部１０３に処理Ｐ１を実行させることで、処理Ｐ１が実行されない画像フレームの時間を、処理Ｐ２に割り当てることができる。なお、処理モードが第２モードである場合に２フレームに１回のフレーム間隔で画像処理部１０３に処理Ｐ１を実行させる例を説明したが、これに限らない。例えば、モード管理部１０６は、処理モードが第２モードである場合に、３フレームに１回のフレーム間隔で画像処理部１０３に処理Ｐ１を実行させてもよいし、他の処理モードを設けて（例えば、第３モード等）、３フレームに１回のフレーム間隔で画像処理部１０３に処理Ｐ１を実行させてもよい。
【００２６】
図３は、モード管理部１０６の構成を示す図である。図３に示すモード管理部１０６は、モード選択部３０１と、モード記憶部３０２と、モード通知部３０３とを有する。
モード選択部３０１は、操作処理部１０５から入力された操作画面の表示状態を示す情報に基づいて、モード記憶部３０２に記憶されている第１モード及び第２モードのいずれかの処理モードを選択する。
【００２７】
図４は、第１の実施形態に係るモード管理データベースの構成を示す図である。図４に示すモード管理データベースには、操作画面の表示状態を示すＯＳＤ表示状態と、処理モードとが関連付けて記憶されている。モード選択部３０１は、操作画面の表示状態を示す情報が「非表示」である場合に、モード記憶部３０２からＯＳＤ表示状態の「非表示」に関連付けられている処理モードとして第１モードを選択する。一方、モード選択部３０１は、操作画面の表示状態を示す情報が「表示」である場合に、モード記憶部３０２からＯＳＤ表示状態の「表示」に関連付けられている処理モードとして第２モードを選択する。
【００２８】
モード選択部３０１は、選択した処理モードをモード通知部３０３に入力する。
モード通知部３０３は、モード選択部３０１から入力された処理モードを、画像処理部１０３に通知する。
【００２９】
［画像処理部１０３の構成］
続いて、画像処理部１０３の詳細について説明する。図５は、画像処理部１０３の構成を示す図である。図５に示す画像処理部１０３は、補正値算出部５０１と、補正値記憶部５０２と、画像補正部５０３とを有する。
【００３０】
補正値算出部５０１は、特徴量取得部１０２から入力された画像特徴量、及び画像処理部１０３から入力された処理モードに基づいて、補正値を算出する。具体的には、補正値算出部５０１は、画像処理部１０３から入力された処理モードが第１モードである場合、特徴量取得部１０２から入力された画像特徴量に基づいて、画像フレームごとに補正値を算出する。
【００３１】
一方、補正値算出部５０１は、画像処理部１０３から入力された処理モードが第２モードである場合、特徴量取得部１０２から入力された画像特徴量に基づいて、２フレームに１回のフレーム間隔で補正値を算出する。補正値算出部５０１は、画像処理部１０３から入力された処理モードが第２モードである場合において、画像入力部１０１から入力された画像フレームが補正値を算出しない画像フレームである場合、補正値記憶部５０２に記憶されている当該画像フレームより前の画像フレームに対する補正値を取得する。
【００３２】
ここで、補正値は、例えば、ブロックごとの輝度値のオフセット値等である。また、補正値算出部５０１は、画像処理部１０３がローカルディミング処理を実行する場合、バックライトの光量を制御するバックライト制御値を算出する。補正値算出部５０１は、算出した補正値を画像補正部５０３に入力する。また、補正値算出部５０１は、算出した補正値を補正値記憶部５０２に入力して記憶させる。
【００３３】
画像補正部５０３は、補正値算出部５０１から入力された補正値に基づいて、画像フレームに対して画像処理を実行する。画像処理は、例えば、輝度値の補正処理等である。画像補正部５０３は、画像処理を実行した画像フレームの画像を、画面合成部１０７に入力する。
【００３４】
［表示装置１００の処理］
続いて、表示装置１００が行う処理の流れについて説明する。図６は、表示装置１００が行う処理の流れを示すフローチャートである。本フローチャートは、ステップＳ６０１において、画像入力部１０１に外部機器から画像データが入力されたことを契機として開始する。画像入力部１０１は、入力された画像データを、画像フレームごとに特徴量取得部１０２及び画像処理部１０３に入力する。
【００３５】
ステップＳ６０２において、特徴量取得部１０２は、画像入力部１０１から入力された画像フレームを１以上のブロックに分割し、分割した１以上のブロックごとに画像特徴量を取得する。特徴量取得部１０２は、取得した１以上のブロックごとの画像特徴量を画像処理部１０３に入力する。
【００３６】
ステップＳ６０３において、操作処理部１０５は、操作受付部１０４が操作画像を表示するユーザ操作を受け付けたかを判定する。操作処理部１０５は、操作画像を表示するユーザ操作を受け付けていないと判定した場合（ステップＳ６０３においてＮＯの場合）、操作画面の表示状態を示す情報として「非表示」を、モード管理部１０６に入力する。ステップＳ６０４において、モード管理部１０６は、操作処理部１０５から入力された操作画面の表示状態を示す情報「非表示」に関連付けてモード管理データベースに記憶されている処理モードとして第１モードを選択する。
【００３７】
ステップＳ６０５において、操作処理部１０５は、操作画像を表示するユーザ操作を受け付けたと判定した場合（ステップＳ６０３においてＹＥＳの場合）、操作画像を描画する。操作処理部１０５は、描画した操作画面を画面合成部１０７に入力する。また、操作処理部１０５は、操作画面の表示状態を示す情報としての「表示」をモード管理部１０６に入力する。
【００３８】
ステップＳ６０６において、モード管理部１０６は、操作処理部１０５から入力された操作画面の表示状態を示す情報「表示」に関連付けてモード管理データベースに記憶されている処理モードとして第２モードを選択する。モード管理部１０６は、ステップＳ６０４又はステップＳ６０６において選択した処理モードを、画像処理部１０３に入力する。
【００３９】
詳細の流れについては後述するが、ステップＳ６０７において、画像処理部１０３は、特徴量取得部１０２から入力された画像特徴量、及びモード管理部１０６から入力された処理モードに基づいて、画像入力部１０１から入力された画像フレームに対して画像処理を実行する。画像処理部１０３は、画像処理を実行した画像フレームの画像を画面合成部１０７に入力する。
【００４０】
ステップＳ６０８において、画面合成部１０７は、表示用画像を生成する。具体的には、画面合成部１０７は、処理モードが第１モードである場合、画像処理部１０３から入力された画像フレームの画像を表示用画像として生成する。一方、画面合成部１０７は、処理モードが第２モードである場合、画像処理部１０３から入力された画像フレームの画像と、操作処理部１０５から入力された操作画面とを合成することにより１つの表示用画像を生成する。画面合成部１０７は、生成した表示用画像を表示部１０８に入力する。ステップＳ６０９において、表示部１０８は、画面合成部１０７から入力された表示用画像を表示パネルに表示させる。
【００４１】
［画像処理部１０３の処理］
続いて、図６のステップＳ６０７において、画像処理部１０３が行う処理の詳細の流れについて説明する。図７は、画像処理部１０３が行う処理の流れを示すフローチャートである。本フローチャートは、ステップＳ７０１において、補正値算出部５０１が、モード管理部１０６から入力された処理モードを取得したことを契機として開始する。
【００４２】
ステップＳ７０２において、補正値算出部５０１は、取得した処理モードが第２モードであるか否かを判定する。ステップＳ７０３において、補正値算出部５０１は、処理モードが第２モードであると判定した場合（ステップＳ７０２においてＹＥＳの場合）、画像入力部１０１から入力された画像フレームが偶数フレームであるか否かを判定する。
【００４３】
ステップＳ７０４において、補正値算出部５０１は、画像フレームが、補正値を算出する対象とならない偶数フレームであると判定した場合（ステップＳ７０３においてＹＥＳの場合）に、当該画像フレームより前の画像フレームに対する補正値を補正値記憶部５０２から読み出す。具体的には、補正値算出部５０１は、補正値を算出する対象の画像フレームではないと判定した場合に、当該画像フレームの直前の画像フレームに対する補正値を補正値記憶部５０２から読み出す。
【００４４】
ステップＳ７０５において、補正値算出部５０１は、処理モードが第２モードではないと判定した場合（ステップＳ７０２においてＮＯの場合）、又は画像フレームが偶数フレームではないと判定した場合（ステップＳ７０３においてＮＯの場合）に、特徴量取得部１０２から入力された画像特徴量を取得する。具体的には、補正値算出部５０１は、処理モードが第１モードであると判定した場合、又は画像フレームが補正値を算出する対象の画像フレームであると判定した場合に、特徴量取得部１０２から入力された画像特徴量を取得する。
【００４５】
ステップＳ７０６において、補正値算出部５０１は、取得した画像特徴量に基づいて、補正値を算出する。ステップＳ７０７において、補正値算出部５０１は、算出した補正値を補正値記憶部５０２に入力して記憶させる。ステップＳ７０８において、補正値算出部５０１は、ステップＳ７０４において読み出した補正値、又はステップＳ７０６において算出した補正値を、画像補正部５０３に入力する。
【００４６】
［第１の実施形態における効果］
以上説明したとおり、第１の実施形態に係る表示装置１００は、操作画面が表示されてない場合に、第１モードで画層処理を実行した画像データを表示パネルに表示する。一方、表示装置１００は、操作画面が表示されている場合に、第１モードよりも処理量が少ない第２モードで画層処理を実行した画像データを表示パネルに表示する。このようにすることで、表示装置１００は、画像処理が実行されない画像フレームの時間を、ユーザ操作に基づく処理に割り当てることができる。その結果、表示装置１００は、表示画像の変化を小さくしつつ、ユーザ操作に対する応答速度を向上することができる。
【００４７】
＜第２の実施形態＞
［画像処理の精度を制御する］
続いて、第２の実施形態について説明する。第１の実施形態に係る表示装置１００は、処理モードに応じて、画像処理を実行するフレーム間隔を制御する。これに対して、第２の実施形態に係る表示装置１００は、処理モードに応じて、画像処理の精度を制御する点で、第１の実施形態に係る表示装置１００と異なる。以下、第１の実施形態と異なる部分について説明を行う。第１の実施形態と同じ部分については適宜説明を省略する。
【００４８】
図８は、第２の実施形態に係る表示装置１００の構成を示す図である。図８に示すモード管理部８０１は、処理モードが第２モードである場合において、第１モードよりも低い精度で画像データへの画像処理を実行させる。具体的には、モード管理部８０１は、処理モードが第２モードである場合において、第１モードよりも小さい演算桁数で画像データへの画像処理を実行させる。
【００４９】
図９は、第２の実施形態に係る表示装置１００が画像データに対して実行する処理を模式的に示した図である。図９（ａ）に示すように、モード管理部８０１が、通常の精度で画像処理を実行させた場合、画像処理部１０３が実行する処理Ｐ１の処理時間が長くなり、操作処理部１０５が実行する処理Ｐ２の処理時間が短くなる。
【００５０】
これに対して、図９（ｂ）に示すように、モード管理部８０１が、通常よりも低い精度で画像処理を実行させた場合、画像処理部１０３が実行する処理Ｐ１の処理時間が短くなり、操作処理部１０５が実行する処理Ｐ２の処理時間が長くなる。
【００５１】
そこで、画像処理部８０２は、処理モードが第１モードである場合、通常の精度で画像フレームに画像処理を実行し、処理モードが第２モードである場合、第１モードよりも低い精度で画像フレームに画像処理を実行する。画像処理部８０２は、例えば、処理モードが第１モードである場合、通常の精度である３２ｂｉｔの演算桁数で画像フレームに画像処理を実行し、処理モードが第２モードである場合、通常より低い精度である１６ｂｉｔの演算桁数で画像フレームに画像処理を実行する。画像処理部８０２は、処理モードが第１モードである場合、倍精度浮動小数点を用いて画像フレームに画像処理を実行し、処理モードが第２モードである場合、整数にて画像フレームに画像処理を実行してもよい。
【００５２】
［第２の実施形態における効果］
以上説明したとおり、第２の実施形態に係る表示装置１００は、処理モードが第１モードである場合に、通常の精度で画像処理を実行した画像データを表示パネルに表示する。一方、表示装置１００は、処理モードが第２モードである場合に、通常よりも低い精度で画像処理を実行した画像データを表示パネルに表示する。このようにすることで、表示装置１００は、画像処理の処理量が少なくなり、画像処理を実行する処理時間が短くなることにより、ユーザ操作に基づく処理を実行する時間が長くなり、ユーザ操作の応答速度を向上することができる。
【００５３】
＜第３の実施形態＞
［ブロックごとに画像処理の実行を制御する］
続いて、第３の実施形態について説明する。第３の実施形態に係る表示装置１００は、処理モードに応じて、画像フレームに含まれる複数のブロックごとに画像処理の実行を制御する点で、第１の実施形態に係る表示装置１００と異なる。
【００５４】
図１０は、第３の実施形態に係る表示装置１００の構成を示す図である。図１０に示す操作処理部１００１は、操作受付部１０４が操作画面を表示するユーザ操作を受け付けた場合に、操作画面の表示状態を示す情報としての「表示」をモード管理部１００２に入力する。また、操作処理部１０５は、操作画面の描画等の処理を実行した場合、描画等の処理を実行した操作画面を画面合成部１０７に入力する。また、操作処理部１００１は、操作受付部１０４が操作画面を表示するユーザ操作を受け付けた場合に、描画等の処理を実行した操作画面の表示領域を示す領域情報を、画像処理部１００３に入力する。
【００５５】
図１１は、第３の実施形態に係る表示部１０８に表示された表示用画像を模式的に示した図である。図１１に示すように、表示用画像は、縦方向に５ブロック、横方向に８ブロック、合計４０ブロックに分割されている。操作画面Ｄは、表示用画像のブロックＣ−５、Ｃ−６、Ｃ−７、Ｃ−８、Ｄ−５、Ｄ−６、Ｄ−７、Ｄ−８、Ｅ−５、Ｅ−６、Ｅ−７、Ｅ−８の表示領域に表示されている。操作処理部１００１は、ブロックＣ−５等の１２ブロックを、描画等の処理を実行した操作画面Ｄの表示領域を示す領域情報として画像処理部１００３に入力する。
【００５６】
モード管理部１００２は、処理モードが第２モードである場合において、画像フレームに含まれる複数のブロックのうち、表示部１０８が操作画面を表示する表示ブロック以外の非表示ブロックの画像データへの画像処理を実行させ、表示ブロックの画像データへの画像処理を実行させない。具体的には、モード管理部１００２は、処理モードが第２モードである場合において、操作処理部１００１から入力された領域情報が示す表示領域以外のブロックに対して画像処理を実行させる。モード管理部１００２は、操作処理部１００１から入力された領域情報が示す表示領域のブロックに対して画像処理を実行させない。
【００５７】
［第３の実施形態における効果］
以上説明したとおり、第３の実施形態に係る表示装置１００は、処理モードが第２モードである場合において、画像フレームに含まれる複数のブロックのうち、操作画面が表示される表示領域以外のブロックに対して画像処理を実行する。一方、表示装置１００は、操作画面が表示される表示領域のブロックに対して画像処理を実行しない。このようにすることで、表示装置１００は、画像処理の処理量が少なくなり、画像処理を実行する処理時間が短くなることにより、ユーザ操作に基づく処理を実行する時間が長くなり、ユーザ操作の応答速度を向上することができる。
【００５８】
＜第４の実施形態＞
［分割するブロックの数を制御する］
続いて、第４の実施形態について説明する。第４の実施形態に係る表示装置１００は、処理モードに応じて、画像フレームを分割する数を制御する点で、第１の実施形態に係る表示装置１００と異なる。
【００５９】
図１２は、第４の実施形態に係る表示装置１００の構成を示す図である。図１２に示すモード管理部１２０１は、処理モードが第２モードである場合において、第１モードよりも少ない数に画像フレームを分割して得られたブロックごとに画像処理を実行させる。
【００６０】
具体的には、まず、モード管理部１２０１は、選択した処理モードを特徴量取得部１２０２に入力する。特徴量取得部１２０２は、画像入力部１０１から入力された画像フレームを、モード管理部１２０１から入力された処理モードに基づいて複数のブロックに分割する。特徴量取得部１２０２は、分割した複数のブロックそれぞれの画像特徴量を取得して、画像処理部１２０３に入力する。そして、画像処理部１２０３は、画像フレームを分割して得られる複数のブロックそれぞれの画像特徴量に基づいて、複数のブロックに画像処理を施す。
【００６１】
図１３は、第４の実施形態に係る表示部１０８に表示された表示用画像を模式的に示した図である。図１３（ａ）に示すように、表示用画像は、縦方向に５ブロック、横方向に８ブロック、合計４０ブロックに分割されている。画像処理部１２０３は、例えば、処理モードが第１モードである場合、画像フレームを分割して得られる４０ブロックそれぞれの画像特徴量に基づいて、４０ブロックそれぞれに画像処理を施す。
【００６２】
これに対して、図１３（ｂ）に示すように、表示用画像は、縦方向に４ブロック、横方向に４ブロック、合計１６ブロックに分割されており、図１３（ａ）に比べてブロックの数が少なくなっている。画像処理部１２０３は、例えば、処理モードが第２モードである場合、画像フレームを分割して得られる１６ブロックそれぞれの画像特徴量に基づいて、１６ブロックそれぞれに画像処理を施す。
【００６３】
［第４の実施形態における効果］
以上説明したとおり、第４の実施形態に係る表示装置１００は、処理モードが第２モードである場合において、第１モードよりも少ない数に画像フレームを分割して得られたブロックごとに画像処理を実行する。このようにすることで、表示装置１００は、処理モードが第２モードである場合、第１モードと比べて、画像処理を実行するブロックの数が少なくなるため、画像処理の処理量が少なくなる。その結果、表示装置１００は、画像処理を実行する処理時間が短くなることにより、ユーザ操作に基づく処理を実行する時間が長くなり、ユーザ操作の応答速度を向上することができる。
【００６４】
［変形例］
上記の説明において、操作画面が表示されていない場合は第１モードが選択され、操作画面が表示されている場合は第２モードが選択される例を示したが、処理モードを選択する条件はこれに限らない。図１４は、表示装置１００の変形例の構成を示す図である。
【００６５】
図１４に示すモード管理部１４０２は、表示部１０８が表示する操作画面の種類に基づいて決定したフレーム間隔ごとに画像データへの画像処理を実行させてもよい。図１５は、モード管理データベースの変形例の構成を示す図である。図１５に示すモード管理データベースには、ＯＳＤ表示状態と、操作画面の種類を示すＯＳＤ種別と、処理モードとが関連付けて記憶されている。操作処理部１４０１は、操作受付部１０４から通知されたユーザ操作に基づいて、操作画面の表示状態を示す情報と、操作画面の種類とをモード管理部１４０２に入力する。
【００６６】
モード管理部１４０２は、操作処理部１４０１から入力された操作画面の表示状態を示す情報と、操作画面の種類とに基づいて、処理モードを選択する。具体的には、モード管理部１４０２は、画像処理部１０３が実行する画像処理に関する操作画面を表示部１０８が表示している場合、画像処理部１０３に第１モードで画像処理を実行させる。モード管理部１４０２は、画像処理部１０３が実行する画像処理以外の処理に関する操作画面を表示部１０８が表示している場合、画像処理部１０３に第２モードで画像処理を実行させる。
【００６７】
より具体的には、モード管理部１４０２は、操作画面が表示されていない場合、又は操作画面が表示されている場合であって、かつ表示されている操作画面が画像処理に関する画面（例えば、輝度値のオフセット値の設定画面等）である場合、処理モードとして第１モードを選択する。一方、モード管理部１４０２は、操作画面が表示されている場合であって、かつ表示されている操作画面が画像処理以外の処理に関する画面（例えば、電源管理の設定画面等）である場合、処理モードとして第２モードを選択する。
【００６８】
モード管理部１４０２が、操作画面の表示状態に応じて画像処理の実行を制御する場合、ユーザは、操作画面を消去しなければ表示装置１００に設定されたパラメータに基づいて画像処理が実行された表示用画像を確認することができない。しかし、モード管理部１４０２が、操作画面の表示状態と、操作画像の種類とに応じて画像処理の実行を制御することによって、ユーザは、操作画面を消去することなく、表示装置１００に設定されたパラメータに基づいて画像処理が実行された表示用画像を確認することができる。
【００６９】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００７０】
１００  表示装置
１０１  画像入力部
１０３  画像処理部
１０６  モード管理部
１０８  表示部
【図１】
2019124828.tif 000003
【図２】
2019124828.tif 000004
【図３】
2019124828.tif 000005
【図４】
2019124828.tif 000006
【図５】
2019124828.tif 000007
【図６】
2019124828.tif 000008
【図７】
2019124828.tif 000009
【図８】
2019124828.tif 000010
【図９】
2019124828.tif 000011
【図１０】
2019124828.tif 000012
【図１１】
2019124828.tif 000013
【図１２】
2019124828.tif 000014
【図１３】
2019124828.tif 000015
【図１４】
2019124828.tif 000016
【図１５】
2019124828.tif 000017